【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（ＷＬＡＮ）において第１のステーションから第２のステーションにホワイトスペースマップ情報を伝送する方法であって、前記方法は、
前記第１のステーションにおいて、規制データベースから、第１のチャンネルグラニュラリティと共に利用可能なチャンネルのリスト及び前記利用可能なチャンネルの最大許容伝送電力を獲得することと、
ビーコンフレーム、プローブ応答フレーム及びホワイトスペースマップ（ＷＳＭ）要素を含むホワイトスペースマップ放送フレームのうちの一つを前記第１のステーションから前記第２のステーションに伝送することにより、前記第２のステーションは、前記ＷＳＭ要素によって識別される前記利用可能なチャンネル内のみに存在する第２のチャンネルグラニュラリティを有する一つ以上のチャンネルを用いて動作するようにすることと
を含み、
前記ＷＳＭ要素は、チャンネル番号フィールド及び最大電力レベルフィールドを含み、
前記チャンネル番号フィールドは、前記第１のチャンネルグラニュラリティと共に利用可能なチャンネルのリストを示し、前記最大電力レベルフィールドは、前記利用可能なチャンネルの最大許容伝送電力を示す、方法。
【請求項２】
前記第１のステーションは、自分の地理的位置識別及び規制データベース接続能力を用いて自分の位置で前記利用可能なチャンネルを決定する活性化ステーションである、請求項１に記載の方法。
【請求項３】
前記第２のステーションは、前記利用可能なチャンネルのリストを前記活性化ステーションから受信する依存的ステーション、又は前記依存的ステーションの動作を可能にする依存的接続ポイント（ＡＰ）ステーションである、請求項２に記載の方法。
【請求項４】
前記チャンネル番号フィールドは、利用可能なＴＶチャンネルのリストを示す、請求項１に記載の方法。
【請求項５】
前記第１のチャンネルグラニュラリティは、６ＭＨｚであり、前記第２のチャンネルグラニュラリティは、５ＭＨｚ、１０ＭＨｚ、２０ＭＨｚ及び４０ＭＨｚのうちの一つ以上である、請求項４に記載の方法。
【請求項６】
前記第１のステーション及び前記第２のステーションは、共に前記第２のチャンネルグラニュラリティを有するチャンネルを使用して動作する、請求項１に記載の方法。
【請求項７】
前記ＷＳＭ要素を受信する前記第２のステーションは、前記チャンネル番号フィールドによって識別される利用可能なチャンネル上で前記最大電力レベルフィールドによって識別される最大許容伝送電力内の伝送電力で存在する基本サービスセット（ＢＳＳ）のためのスキャニングを行う、請求項１に記載の方法。
【請求項８】
前記ＷＳＭ要素は、ＴＶ帯域ホワイトスペースマップ（ＷＳＭ）を含み、
前記ＷＳＭ要素は、前記ＷＳＭ要素が前記ＴＶ帯域ＷＳＭであるかどうかを示すＷＳＭ類型フィールドをさらに含む、請求項１に記載の方法。
【請求項９】
前記ＷＳＭ要素は、前記ＷＳＭ要素の長さを示す長さフィールドを含み、
前記チャンネル番号フィールドと前記最大電力レベルフィールドとのペアの数は、前記長さフィールドによって決定される複数である、請求項１に記載の方法。
【請求項１０】
前記第１のステーションは、前記第１のステーションが測定を行い、主なサービス信号が前記ＷＳＭ要素によって利用可能と識別されたチャンネルで測定されるという測定報告を受けた場合、前記ＷＳＭ要素をアップデートし、
前記ＷＳＭ要素は、前記第１のステーションが前記ＷＳＭ要素をアップデートする場合、前記第１のステーションによって１ずつ循環的に増加する値を有するマップバージョンフィールドをさらに含む、請求項１に記載の方法。
【請求項１１】
前記ＴＶ帯域ＷＳＭの類型は、前記利用可能なチャンネルの部分的チャンネルのリストのための第１のＴＶ帯域ホワイトスペースマップ、及び前記利用可能なチャンネルの全体的チャンネルのリストのための第２のＴＶ帯域ホワイトスペースマップを含む、請求項８に記載の方法。
【請求項１２】
前記ＴＶ帯域ＷＳＭは、前記ＴＶ帯域ＷＳＭが前記第１のＴＶ帯域ホワイトスペースマップであるか、それとも前記第２のＴＶ帯域ホワイトスペースマップであるかを示す類型フィールド、及び前記ＴＶ帯域ＷＳＭのバージョンを示すマップバージョンフィールドをさらに含む、請求項１１に記載の方法。
【請求項１３】
同一の値の前記マップバージョンフィールドと前記第１のＴＶ帯域ホワイトスペースマップを示す前記類型フィールドと共に、複数のＷＳＭを受信する前記第２のステーションは、前記受信された複数のＷＳＭを使用して全体のチャンネルのリストを構成する、請求項１２に記載の方法。
【請求項１４】
前記ＷＳＭ要素は、ＴＶ帯域ＷＳＭを含み、
前記ＴＶ帯域ＷＳＭは、（ａ）類型フィールド及びマップバージョンフィールドを構成するマップ識別子フィールド、（ｂ）前記チャンネル番号フィールド、及び（ｃ）前記最大電力レベルフィールドで構成され、
前記類型フィールドは、前記ＴＶ帯域ＷＳＭが前記利用可能なチャンネルの部分的チャンネルのリストのための第１のＴＶ帯域ホワイトスペースマップであるか、それとも前記利用可能なチャンネルの全体的チャンネルのリストのための第２のＴＶ帯域ホワイトスペースマップであるかを示し、
前記マップバージョンフィールドは、前記ＴＶ帯域ＷＳＭのバージョンを示す、請求項１に記載の方法。
【請求項１５】
無線ローカルエリアネットワーク（ＷＬＡＮ）においてステーションにホワイトスペースマップ情報を伝送する装置であって、前記装置は、
ビーコンフレーム、プローブ応答フレーム及びホワイトスペースマップ放送フレームのうちの一つを前記ステーションに伝送するように構成された送受信部と、
プロセッサであって、前記プロセッサは、
規制データベースから、第１のチャンネルグラニュラリティと共に利用可能なチャンネルのリスト及び前記利用可能なチャンネルの最大許容伝送電力を獲得することと、
前記ビーコンフレーム、前記プローブ応答フレーム及びホワイトスペースマップ（ＷＳＭ）要素を含む前記ホワイトスペースマップ放送フレームのうちの一つを生成することと、
前記ステーションが、前記ＷＳＭ要素によって識別される前記利用可能なチャンネル内のみに存在する第２のチャンネルグラニュラリティを有する一つ以上のチャンネルを用いて動作するように、前記ステーションに前記ビーコンフレーム、前記プローブ応答フレーム及び前記ＷＳＭ要素を含むホワイトスペースマップ放送フレームのうちの一つを伝送するように前記送受信部を制御することと
を行うように構成されている、プロセッサと
を含み、
前記ＷＳＭ要素は、チャンネル番号フィールド及び最大電力レベルフィールドを含み、
前記チャンネル番号フィールドは、前記第１のチャンネルグラニュラリティと共に利用可能なチャンネルのリストを示し、前記最大電力レベルフィールドは、前記利用可能なチャンネルの最大許容伝送電力を示す、装置。
【請求項１６】
前記装置は、自分の地理的位置識別及び規制データベース接続能力を用いて自分の位置で前記利用可能なチャンネルを決定する活性化ステーションとして構成されている、請求項１５に記載の装置。
【請求項１７】
前記ステーションは、前記利用可能なチャンネルのリストを前記活性化ステーションから受信する依存的ステーション、又は前記依存的ステーションの動作を可能にする依存的接続ポイントス（ＡＰ）ステーションである、請求項１６に記載の装置。
【請求項１８】
前記チャンネル番号フィールドは、利用可能なＴＶチャンネルのリストを示す、請求項１５に記載の装置。
【請求項１９】
前記第１のチャンネルグラニュラリティは、６ＭＨｚであり、前記第２のチャンネルグラニュラリティは、５ＭＨｚ、１０ＭＨｚ、２０ＭＨｚ及び４０ＭＨｚのうちの一つ以上である、請求項１８に記載の装置。
【請求項２０】
前記装置及び前記ステーションは、共に前記第２のチャンネルグラニュラリティを有するチャンネルを使用して動作する、請求項１５に記載の装置。
【請求項２１】
前記ＷＳＭ要素を受信する前記ステーションは、前記チャンネル番号フィールドによって識別される利用可能なチャンネル上で前記最大電力レベルフィールドによって識別される最大許容伝送電力内の伝送電力で存在する基本サービスセット（ＢＳＳ）のためのスキャニングを行う、請求項１５に記載の装置。
【請求項２２】
前記ＷＳＭ要素は、ＴＶ帯域ホワイトスペースマップ（ＷＳＭ）を含み、
前記ＷＳＭ要素は、前記ＷＳＭ要素が前記ＴＶ帯域ＷＳＭであるかどうかを示すＷＳＭ類型フィールドをさらに含む、請求項１５に記載の装置。
【請求項２３】
前記ＷＳＭ要素は、前記ＷＳＭ要素の長さを示す長さフィールドを含み、
前記チャンネル番号フィールドと前記最大電力レベルフィールドとのペアの数は、前記長さフィールドによって決定される複数である、請求項１５に記載の装置。
【請求項２４】
前記プロセッサは、前記プロセッサが測定を行い、前記送受信部を介して、主なサービス信号が前記ＷＳＭ要素によって利用可能と識別されたチャンネルで測定されるという測定報告を受けた場合、前記ＷＳＭ要素をアップデートするようにさらに構成され、
前記ＷＳＭ要素は、前記プロセッサが前記ＷＳＭ要素をアップデートする場合、前記プロセッサによって１ずつ循環的に増加する値を有するマップバージョンフィールドをさらに含む、請求項１５に記載の装置。
【請求項２５】
前記ＴＶ帯域ＷＳＭの類型は、前記利用可能なチャンネルの部分的チャンネルのリストのための第１のＴＶ帯域ホワイトスペースマップ、及び前記利用可能なチャンネルの全体的チャンネルのリストのための第２のＴＶ帯域ホワイトスペースマップを含む、請求項２２に記載の装置。
【請求項２６】
前記ＴＶ帯域ＷＳＭは、前記ＴＶ帯域ＷＳＭが前記第１のＴＶ帯域ホワイトスペースマップであるか、それとも前記第２のＴＶ帯域ホワイトスペースマップであるかを示す類型フィールド、及び前記ＴＶ帯域ＷＳＭのバージョンを示すマップバージョンフィールドをさらに含む、請求項２５に記載の装置。
【請求項２７】
同一の値の前記マップバージョンフィールドと前記第１のＴＶ帯域ホワイトスペースマップを示す前記類型フィールドと共に、複数のＷＳＭを受信する前記ステーションのプロセッサは、前記受信された複数のＷＳＭを使用して全体のチャンネルのリストを構成する、請求項２６に記載の装置。
【請求項２８】
前記ＷＳＭ要素は、ＴＶ帯域ＷＳＭを含み、
前記ＴＶ帯域ＷＳＭは、（ａ）類型フィールド及びマップバージョンフィールドを構成するマップ識別子フィールド、（ｂ）前記チャンネル番号フィールド、及び（ｃ）前記最大電力レベルフィールドで構成され、
前記類型フィールドは、前記ＴＶ帯域ＷＳＭが前記利用可能なチャンネルの部分的チャンネルのリストのための第１のＴＶ帯域ホワイトスペースマップであるか、それとも前記利用可能なチャンネルの全体的チャンネルのリストのための第２のＴＶ帯域ホワイトスペースマップであるかを示し、
前記マップバージョンフィールドは、前記ＴＶ帯域ＷＳＭのバージョンを示す、請求項１５に記載の装置。
【手続補正２】
【補正対象書類名】明細書
【補正対象項目名】００４５
【補正方法】変更
【補正の内容】
【００４５】
一例として、前記ＷＳＭ要素はＴＶ帯域ＷＳＭを含み、前記ＴＶ帯域ＷＳＭは、（ａ）類型フィールド及びマップバージョンフィールドを構成するマップ識別子フィールド、（ｂ）前記チャンネル番号フィールド、（ｃ）前記最大電力レベルフィールドで構成され、前記類型フィールドは、前記ＴＶ帯域ＷＳＭが前記第１のＴＶ帯域ホワイトスペースマップであるか、それとも前記第２のＴＶ帯域ホワイトスペースマップであるかを示し、前記マップバージョンフィールドは前記ＴＶ帯域ＷＳＭのバージョンを示すことができる。
本願明細書は、例えば、以下の項目も提供する。
（項目１）
無線ＬＡＮシステムで免許機器及び無免許機器が動作するように許容される規制ドメインで第１のステーションから第２のステーションにホワイトスペースマップ情報を伝送する方法において、
前記第１のステーションで、第１のチャンネルグラニュラリティ（ｇｒａｎｕｌａｒｉｔｙ）と共に利用可能なチャンネルリスト及び規制データベースから前記利用可能なチャンネルの最大許容伝送電力を獲得すること；及び
ビーコンフレーム、プローブ応答フレーム及びホワイトスペースマップ（ｗｈｉｔｅ  ｓｐａｃｅ  ｍａｐ：ＷＳＭ）要素を含むホワイトスペースマップ放送フレームのうちいずれか一つを前記第１のステーションから前記第２のステーションに伝送すること；を含み、
前記第２のステーションは、ＷＳＭ要素によって識別される前記利用可能なチャンネル内のみに存在する第２のチャンネルグラニュラリティを有する一つ又はそれ以上のチャンネルを用いる前記無免許機器として動作し、
前記ホワイトスペースマップは、チャンネル番号フィールド及び最大電力レベルフィールドを含み、
前記チャンネル番号フィールドは、第１のチャンネルグラニュラリティと共に利用可能なチャンネルリストを示し、前記最大電力レベルフィールドは前記利用可能なチャンネルの最大許容伝送電力を示す、ホワイトスペースマップ情報伝送方法。
（項目２）
前記第１のステーションは、自分の地理的位置識別及び規制データベース接続能力を用いて自分の位置で前記利用可能なチャンネルを決定する活性化ステーションである、項目１に記載のホワイトスペースマップ情報伝送方法。
（項目３）
前記第２のステーションは、前記利用可能なチャンネルリストを前記活性化ステーション又は依存的ステーションの動作を可能にする依存的接続ポイントステーションから受信する依存的ステーションである、項目２に記載のホワイトスペースマップ情報伝送方法。
（項目４）
前記チャンネル番号フィールドは利用可能なＴＶチャンネルのリストを示す、項目１に記載のホワイトスペースマップ情報伝送方法。
（項目５）
前記第１のチャンネルグラニュラリティは６ＭＨｚで、前記第２のチャンネルグラニュラリティは５ＭＨｚ、１０ＭＨｚ、２０ＭＨｚ及び４０ＭＨｚのうち一つ又はそれ以上である、項目４に記載のホワイトスペースマップ情報伝送方法。
（項目６）
前記第１のステーション及び前記第２のステーションは、共に第２のチャンネルグラニュラリティを有するチャンネルを使用して動作する、項目１に記載のホワイトスペースマップ情報伝送方法。
（項目７）
前記ＷＳＭ要素を受信する第２のステーションは、前記チャンネル番号フィールドによって識別される利用可能なチャンネル上で前記最大電力レベルフィールドによって識別される最大許容伝送電力内の伝送電力で存在する基本サービスセット（Ｂａｓｉｃ  Ｓｅｒｖｉｃｅ  Ｓｅｔ：ＢＳＳ）のためのスキャニングを行う、項目１に記載のホワイトスペースマップ情報伝送方法。
（項目８）
前記ＷＳＭ要素はＴＶ帯域ホワイトスペースマップを含み、
前記ＷＳＭ要素は、前記ＷＳＭ要素がＴＶ帯域ＷＳＭであるかどうかを示すＷＳＭタイプフィールドをさらに含む、項目１に記載のホワイトスペースマップ情報伝送方法。
（項目９）
前記ＷＳＭ要素は前記ＷＳＭ要素の長さを示す長さフィールドを含み、
前記チャンネルペアの番号フィールドと前記最大電力レベルフィールドの数は前記長さフィールドによって複数に決定される、項目１に記載のホワイトスペースマップ情報伝送方法。
（項目１０）
前記第１のステーションは、前記第１のステーションが測定を行ったり、主なサービス信号が前記ＷＳＭ要素によって利用可能に識別されたチャンネルで測定され、測定報告を受ける場合、前記ＷＳＭ要素をアップデートし、
前記ＷＳＭ要素は、前記第１のステーションが前記ＷＳＭ要素をアップデートする場合、前記第１のステーションによって１ずつ順次増加する値を有するマップバージョンフィールドをさらに含む、項目１に記載のホワイトスペースマップ情報伝送方法。
（項目１１）
前記ＴＶ帯域ＷＳＭの類型は、前記利用可能なチャンネルの部分的チャンネルリストのための第１のＴＶ帯域ホワイトスペースマップ、及び前記利用可能なチャンネルの全体的チャンネルリストのための第２のＴＶ帯域ホワイトスペースマップを含む、項目８に記載のホワイトスペースマップ情報伝送方法。
（項目１２）
前記ＴＶ帯域ＷＳＭは、前記ＴＶ帯域ＷＳＭが前記第１のＴＶ帯域ホワイトスペースマップであるか、それとも前記第２のＴＶ帯域ホワイトスペースマップであるかを示す類型フィールド、及び前記ＴＶ帯域ＷＳＭのバージョンを示すマップバージョンフィールドを含む、項目１１に記載のホワイトスペースマップ情報伝送方法。
（項目１３）
前記同一の値の前記マップバージョンフィールドと第１のＴＶ帯域ホワイトスペースマップを示す前記類型フィールドと共に、複数のＷＳＭを受信する前記第２のステーションは、前記の受信された複数のＷＳＭを使用して全体のチャンネルリストを構成する、項目１２に記載のホワイトスペースマップ情報伝送方法。
（項目１４）
前記ＷＳＭ要素はＴＶ帯域ＷＳＭを含み、前記ＴＶ帯域ＷＳＭは、（ａ）類型フィールド及びマップバージョンフィールドを構成するマップ識別子フィールド、（ｂ）前記チャンネル番号フィールド、（ｃ）前記最大電力レベルフィールドで構成され、
前記類型フィールドは、前記ＴＶ帯域ＷＳＭが前記第１のＴＶ帯域ホワイトスペースマップであるか、それとも前記第２のＴＶ帯域ホワイトスペースマップであるかを示し、
前記マップバージョンフィールドは前記ＴＶ帯域ＷＳＭのバージョンを示す、項目１３に記載のホワイトスペースマップ情報伝送方法。
（項目１５）
無線ＬＡＮシステムで免許機器及び無免許機器が動作するように許容される規制ドメインでステーションにホワイトスペースマップ情報を伝送する装置において、
ビーコンフレーム、プローブ応答フレーム及びホワイトスペースマップ（ｗｈｉｔｅ  ｓｐａｃｅ  ｍａｐ：ＷＳＭ）要素を含むホワイトスペースマップ放送フレームのうちいずれか一つを前記ステーションに伝送するように構成された送受信部；
第１のチャンネルグラニュラリティと共に利用可能なチャンネルリスト及び規制データベースから前記利用可能なチャンネルの最大許容伝送電力を獲得し、
前記ビーコンフレーム、前記プローブ応答フレーム及び前記ホワイトスペースマップ（ｗｈｉｔｅ  ｓｐａｃｅ  ｍａｐ：ＷＳＭ）要素を含むホワイトスペースマップ放送フレームのうちいずれか一つを生成し、
ＷＳＭ要素によって識別される前記利用可能なチャンネル内のみに存在する第２のチャンネルグラニュラリティを有する一つ又はそれ以上のチャンネルを用いる前記無免許機器として動作する前記ステーションに前記ビーコンフレーム、前記プローブ応答フレーム及び前記ホワイトスペースマップ（ｗｈｉｔｅ  ｓｐａｃｅ  ｍａｐ：ＷＳＭ）要素を含むホワイトスペースマップ放送フレームのうちいずれか一つを伝送するように前記送受信部を制御するように構成されたプロセッサ；を含み、
前記ホワイトスペースマップはチャンネル番号フィールド及び最大電力レベルフィールドを含み、
前記チャンネル番号フィールドは、第１のチャンネルグラニュラリティと共に利用可能なチャンネルリストを示し、前記最大電力レベルフィールドは前記利用可能なチャンネルの最大許容伝送電力を示す、ホワイトスペースマップ情報伝送装置。
（項目１６）
前記装置は、自分の地理的位置識別及び規制データベース接続能力を用いて自分の位置で前記利用可能なチャンネルを決定する活性化ステーションである、項目１５に記載のホワイトスペースマップ情報伝送装置。
（項目１７）
前記ステーションは、前記利用可能なチャンネルリストを前記活性化ステーション又は依存的ステーションの動作を可能にする依存的接続ポイントステーションから受信する依存的ステーションである、項目１６に記載のホワイトスペースマップ情報伝送装置。
（項目１８）
前記チャンネル番号フィールドは利用可能なＴＶチャンネルのリストを示す、項目１５に記載のホワイトスペースマップ情報伝送装置。
（項目１９）
前記第１のチャンネルグラニュラリティは６ＭＨｚで、前記第２のチャンネルグラニュラリティは５ＭＨｚ、１０ＭＨｚ、２０ＭＨｚ及び４０ＭＨｚのうち一つ又はそれ以上である、項目１８に記載のホワイトスペースマップ情報伝送装置。
（項目２０）
前記装置及び前記ステーションは、共に第２のチャンネルグラニュラリティを有するチャンネルを使用して動作する、項目１５に記載のホワイトスペースマップ情報伝送装置。
（項目２１）
前記ＷＳＭ要素を受信するステーションは、前記チャンネル番号フィールドによって識別される利用可能なチャンネル上で前記最大電力レベルフィールドによって識別される最大許容伝送電力内の伝送電力で存在する基本サービスセット（Ｂａｓｉｃ  Ｓｅｒｖｉｃｅ  Ｓｅｔ：ＢＳＳ）のためのスキャニングを行う、項目１５に記載のホワイトスペースマップ情報伝送装置。
（項目２２）
前記ＷＳＭ要素はＴＶ帯域ホワイトスペースマップを含み、
前記ＷＳＭ要素は、前記ＷＳＭ要素がＴＶ帯域ＷＳＭであるかどうかを示すＷＳＭタイプフィールドをさらに含む、項目１５に記載のホワイトスペースマップ情報伝送装置。
（項目２３）
前記ＷＳＭ要素は、前記ＷＳＭ要素の長さを示す長さフィールドを含み、
前記チャンネルペアの番号フィールドと前記最大電力レベルフィールドの数は前記長さフィールドによって複数に決定される、項目１５に記載のホワイトスペースマップ情報伝送装置。
（項目２４）
前記プロセッサは、前記プロセッサが測定を行ったり、主なサービス信号が前記ＷＳＭ要素によって利用可能に識別されたチャンネルで測定され、前記送受信部から測定報告を受ける場合、前記ＷＳＭ要素をアップデートし、
前記ＷＳＭ要素は、前記プロセッサが前記ＷＳＭ要素をアップデートする場合、前記プロセッサによって１ずつ順次増加する値を有するマップバージョンフィールドをさらに含む、項目１５に記載のホワイトスペースマップ情報伝送装置。
（項目２５）
前記ＴＶ帯域ＷＳＭの類型は、前記利用可能なチャンネルの部分的チャンネルリストのための第１のＴＶ帯域ホワイトスペースマップ、及び前記利用可能なチャンネルの全体的チャンネルリストのための第２のＴＶ帯域ホワイトスペースマップを含む、項目２２に記載のホワイトスペースマップ情報伝送装置。
（項目２６）
前記ＴＶ帯域ＷＳＭは、前記ＴＶ帯域ＷＳＭが前記第１のＴＶ帯域ホワイトスペースマップであるか、それとも前記第２のＴＶ帯域ホワイトスペースマップであるかを示す類型フィールド、及び前記ＴＶ帯域ＷＳＭのバージョンを示すマップバージョンフィールドを含む、項目２５に記載のホワイトスペースマップ情報伝送装置。
（項目２７）
前記同一の値の前記マップバージョンフィールドと第１のＴＶ帯域ホワイトスペースマップを示す前記類型フィールドと共に、複数のＷＳＭを受信する前記第２のステーションは、前記の受信された複数のＷＳＭを使用して全体のチャンネルリストを構成する、項目２６に記載のホワイトスペースマップ情報伝送装置。
（項目２８）
前記ＷＳＭ要素はＴＶ帯域ＷＳＭを含み、前記ＴＶ帯域ＷＳＭは、（ａ）類型フィールド及びマップバージョンフィールドを構成するマップ識別子フィールド、（ｂ）前記チャンネル番号フィールド、（ｃ）前記最大電力レベルフィールドで構成され、
前記類型フィールドは、前記ＴＶ帯域ＷＳＭが前記第１のＴＶ帯域ホワイトスペースマップであるか、それとも前記第２のＴＶ帯域ホワイトスペースマップであるかを示し、
前記マップバージョンフィールドは前記ＴＶ帯域ＷＳＭのバージョンを示す、項目２７に記載のホワイトスペースマップ情報伝送装置。